(57)【要約】【課題】使用者の足裏とのフィット性を高め、インソールの機能を効果的に発揮させることができる靴用インソールを提供する。【解決手段】本発明の靴用インソールは、第一の側部２ａおよび第二の側部２ｂを有するソール部２と、第一のバンド部材３と、第二のバンド部材４とを有する靴用インソール１であって、ソール部２は、つま先側の第一の側部２ａにおける第一の配設部２１と、つま先側の第二の側部２ｂにおける第二の配設部２２と、踵側の第一の側部２ａにおける第三の配設部２３と、踵側の第二の側部２ｂにおける第四の配設部２４と、備え、第一のバンド部材３は、少なくとも第一の配設部２１から第四の配設部２４に延び、第二のバンド部材４は、少なくとも第二の配設部２２から第三の配設部２３に延びる。【選択図】図１
2018027200.tif 000002
【特許請求の範囲】
【請求項１】
第一の側部および第二の側部を有するソール部と、第一のバンド部材と、第二のバンド部材とを有する靴用インソールであって、
該ソール部は、
つま先側の該第一の側部における第一の配設部と、
つま先側の該第二の側部における第二の配設部と、
踵側の該第一の側部における第三の配設部と、
踵側の該第二の側部における第四の配設部と、
を備え、
該第一のバンド部材は、少なくとも該第一の配設部から該第四の配設部に延び、
該第二のバンド部材は、少なくとも該第二の配設部から該第三の配設部に延びる、
靴用インソール。
【請求項２】
前記第一のバンド部材および前記第二のバンド部材を使用者の足首に固定するための第一の固定部材を有する、請求項１に記載の靴用インソール。
【請求項３】
使用者の足甲領域を覆うように前記ソール部に設けられる第二の固定部材を有する、請求項１または２に記載の靴用インソール。
【請求項４】
前記第一の配設部が、使用者の第１中足骨に相当する部位であり、前記第二の配設部が、使用者の第５中足骨に相当する部位である、請求項１〜３のいずれか１項に記載の靴用インソール。
【請求項５】
前記第三の配設部が、使用者の舟状骨に相当する部位であり、前記第四の配設部が、使用者の立方骨に相当する部位である、請求項１〜４のいずれか１項に記載の靴用インソール。
【請求項６】
前記第一のバンド部材が、使用者の長腓骨筋の流れに沿って延びる、請求項１〜５のいずれか１項に記載の靴用インソール。
【請求項７】
前記第二のバンド部材が、使用者の後脛骨筋の流れに沿って延びる、請求項１〜６のいずれか１項に記載の靴用インソール。
【請求項８】
前記第一のバンド部材の幅が、１０ｍｍ〜３０ｍｍの範囲内である、請求項１〜７のいずれか１項に記載の靴用インソール。
【請求項９】
前記第二のバンド部材の幅が、１０ｍｍ〜３０ｍｍの範囲内である、請求項１〜８のいずれか１項に記載の靴用インソール。
【請求項１０】
前記第一の固定部材が、前記第一のバンド部材、前記第二のバンド部材、またはその両方に設けられている、請求項１〜９のいずれか１項に記載の靴用インソール。
【請求項１１】
請求項１〜１０のいずれか１項に記載の靴用インソールを備える靴。
【発明の詳細な説明】
【技術分野】
【０００１】
本発明は、靴用インソールに関する。
【背景技術】
【０００２】
従来、靴用インソールは、足の骨格のバランス確保等に注目したものが提案されている。
【０００３】
例えば、特許文献１では、インソール本体の上面に、中央隆起部と、外側縦アーチ隆起部と、第１−第２中足骨間隆起部とを一体的に形成した中足骨隆起を設けたインソールが開示されている。
【０００４】
また、特許文献２では、立方骨を足底から支持するための立方骨支持凸部と、踵骨前部を足底から支持するための踵骨前部支持凸部とを備える靴用インソールが開示されている。
【先行技術文献】
【特許文献】
【０００５】
【特許文献１】特開２０１０−２７５号公報
【特許文献２】特許第５４９８６３１号公報
【特許文献３】特開２０１５−１８８７２０号公報
【発明の概要】
【発明が解決しようとする課題】
【０００６】
しかしながら、上述した従来のインソールは、使用者の足裏とのフィット性の観点からは必ずしも満足できるものではなかった。なぜなら、スポーツ等の運動の過程で、使用者の足は、静止時や通常の歩行活動時とは異なる配置になるからである。
【０００７】
したがって、本発明は、使用者の足裏とのフィット性を高め、インソールの機能を効果的に発揮させることができる靴用インソールを提供することを目的としている。
【課題を解決するための手段】
【０００８】
上記目的を達成するために鋭意検討した結果、本発明者らは、インソールのソール部において複数のバンド部材を交差させ、それを使用者の足首に固定することによって、インソールと足裏とのフィット性が向上した新規の靴用インソールを得ることができることを見出した。
【０００９】
また、当該バンド部材の配置を種々検討した結果、特に、足のアーチの要を通過し、かつ足のアーチに関わる筋肉の流れ（ライン）に沿って、バンド部材を配設することによって、足のアーチに関わる筋肉や靭帯の働きが補完され、アーチの引き上げ効果が得られるとともに、足裏での重心移動が誘導されることによる全身の操作能力の向上効果が得られることを見出した。さらに、当該バンド部材によって足に軽度の圧迫が加わることで使用者に体性感覚刺激が入力され、運動パフォーマンスの向上効果が得られることも見出した。
【００１０】
すなわち、本発明は、以下の態様を包含する。
（項目１）
第一の側部および第二の側部を有するソール部と、第一のバンド部材と、第二のバンド部材とを有する靴用インソールであって、
該ソール部は、
つま先側の該第一の側部における第一の配設部と、
つま先側の該第二の側部における第二の配設部と、
踵側の該第一の側部における第三の配設部と、
踵側の該第二の側部における第四の配設部と、
を備え、
該第一のバンド部材は、少なくとも該第一の配設部から該第四の配設部に延び、
該第二のバンド部材は、少なくとも該第二の配設部から該第三の配設部に延びる、
靴用インソール。
（項目２）
前記第一のバンド部材および前記第二のバンド部材を使用者の足首に固定するための第一の固定部材を有する、項目１に記載の靴用インソール。
（項目３）
使用者の足甲領域を覆うように前記ソール部に設けられる第二の固定部材を有する、項目１または２に記載の靴用インソール。
（項目４）
前記第一の配設部が、使用者の第１中足骨に相当する部位であり、前記第二の配設部が、使用者の第５中足骨に相当する部位である、項目１〜３のいずれか１項に記載の靴用インソール。
（項目５）
前記第三の配設部が、使用者の舟状骨に相当する部位であり、前記第四の配設部が、使用者の立方骨に相当する部位である、項目１〜４のいずれか１項に記載の靴用インソール。
（項目６）
前記第一のバンド部材が、使用者の長腓骨筋の流れに沿って延びる、項目１〜５のいずれか１項に記載の靴用インソール。
（項目７）
前記第二のバンド部材が、使用者の後脛骨筋の流れに沿って延びる、項目１〜６のいずれか１項に記載の靴用インソール。
（項目８）
前記第一のバンド部材の幅が、１０ｍｍ〜３０ｍｍの範囲内である、項目１〜７のいずれか１項に記載の靴用インソール。
（項目９）
前記第二のバンド部材の幅が、１０ｍｍ〜３０ｍｍの範囲内である、項目１〜８のいずれか１項に記載の靴用インソール。
（項目１０）
前記第一の固定部材が、前記第一のバンド部材、前記第二のバンド部材、またはその両方に設けられている、項目１〜９のいずれか１項に記載の靴用インソール。
（項目１１）
項目１〜１０のいずれか１項に記載の靴用インソールを備える靴。
【発明の効果】
【００１１】
本発明によれば、使用者の足裏とのフィット性を高め、インソールの機能を効果的に発揮させることができる靴用インソールが提供される。また、本発明の靴用インソールによれば、足のアーチに関わる筋肉や靭帯の働きが補完され、アーチの引き上げ効果が得られるとともに、足裏での重心移動が誘導されることによる全身の操作能力の向上効果が得られる。さらに、当該バンド部材によって足に軽度の圧迫が加わることで使用者に体性感覚刺激が入力され、運動パフォーマンスの向上効果が得られる。
【図面の簡単な説明】
【００１２】
【図１】本発明の例示的な実施形態に係る靴用インソール１の模式的な斜視図である。
【図２】インソール１の模式的な平面図である。
【図３】インソール１の模式的な底面図である。
【図４】インソール１の模式的な外側側面図である。
【図５】インソール１の模式的な内側側面図である。
【図６】インソール１の模式的な背面図（踵側から見た模式図）である。
【図７】インソール１の模式的な正面図（つま先側から見た模式図）である。
【図８】図２に示すインソール１の模式的な平面図に足の骨格構造を重ね合わせた模式図である。
【図９】インソール１を、使用者の足に装着した状態を模式的に示す外側側面図である。
【図１０】インソール１を、使用者の足に装着した状態を模式的に示す内側側面図である。
【図１１】インソール１を、使用者の足に装着した状態を模式的に示す背面図（踵側から見た模式図）である。
【図１２】足（右足）の骨格構造を示す模式的な平面図である。
【発明を実施するための形態】
【００１３】
以下に本発明を、必要に応じて、添付の図面を参照して例示の実施例により説明する。本明細書の全体にわたり、単数形の表現は、特に言及しない限り、その複数形の概念をも含むことが理解されるべきである。また、本明細書において使用される用語は、特に言及しない限り、当該分野で通常用いられる意味で用いられることが理解されるべきである。したがって、他に定義されない限り、本明細書中で使用される全ての専門用語および科学技術用語は、本発明の属する分野の当業者によって一般的に理解されるのと同じ意味を有する。矛盾する場合、本明細書（定義を含めて）が優先する。
【００１４】
従来は、スポーツ等の運動の過程で、使用者の足は、静止時や通常の歩行活動時とは異なる配置になり、その結果、足とインソールとのフィット性が損なわれていた。特に、スピードとパワーとを同時にバランスよく発揮するような動作を伴う運動を行うと、使用者の足には前後左右の種々の方向に瞬間的に大きな力が働き、その結果、インソールの上面における足裏の位置がずれて、インソールと足裏とのフィット性が損なわれるという問題点があった。また、凹凸部を有するインソールにおいては、足裏とのフィット性が損なわれた結果、凹凸構造が足裏の意図しない部分に接し、使用者が違和感や痛みを感じたり、パフォーマンスの低下をもたらしたりする場合があった。
【００１５】
インソールと足裏とのフィット性に関しては、通常、靴紐などを用いて靴の内部の空間を狭めたり広げたりして、靴のアッパー（靴底を除く部分）と足との密着性を調節することで対処されるが、この場合、足甲側（足の背側）から加わる力に依存するところが大きく、足裏への作用は間接的である。また、靴の内部においては、使用者の運動に合わせて足（足指等）の動きを許容すること、疲労などによる足の体積変化を許容すること、足と靴のアッパーとの密着性が高すぎて足を圧迫しないようにすること、などを考慮する必要があるため、適度な空間（いわゆる遊びの空間）を設ける必要がある。
【００１６】
この点、特許文献３では、足指の動きの阻害を回避する観点から、足のつま先部を覆っていない足甲部を備えるインソールが提案されている。しかしながら、このような足甲部を備えるインソールでは、当該足甲部と使用者の足甲領域とのフィット性が考慮されるのみである。つまり、足の形状に個人差があることなどを踏まえれば、特に足の前後方向（踵からつま先の方向）に関係する動き等への対応が難しく、インソールと足裏とのフィット性を確保・維持する観点について十分な手段を提供するものではない。
【００１７】
本発明は、上記のような課題を解決したものである。
【００１８】
＜定義＞
本明細書において、「インソール」との用語は、右足もしくは左足の片足のインソール、および両足のインソールを包含する。
【００１９】
本明細書において、「つま先側」との用語は、中足骨およびその遠位側（指先側）をいう。
【００２０】
本明細書において、「踵側」との用語は、中足骨よりも近位側（足首側）をいう。
【００２１】
本明細書において、「第一の側部」との用語は、インソールを平面視したときの略中央（およそ第三中足骨に相当する位置）より左側（足の内側）をいう。
【００２２】
本明細書において、「第二の側部」との用語は、インソールを平面視したときの略中央（およそ第三中足骨に相当する位置）より右側（足の外側）をいう。
【００２３】
ある筋肉に関して、「筋肉の流れ」とは、当該筋肉を構成する筋線維の走行方向を指す。また、ある対象物に関して、「筋肉の流れに沿う」とは、当該対象物の走行方向のベクトルと、当該筋肉を構成する筋線維の走行方向のベクトルとが、平行であることをいう。ここで、「平行」とは、両者のベクトルのなす角が０度±１５度（１８０度±１５度）の範囲を包含するものとする。
【００２４】
＜足の構造＞
以下、本発明に係る靴用インソールの構成、およびその機能や作用効果等を説明するために、まず、足の構造について説明する。
【００２５】
図１２は、足（右足）の骨格構造を示す模式的な平面図である。
【００２６】
図１２に示すように、足の骨格構造１００は、踵骨１０２、距骨１０４、舟状骨１０６、立方骨１０８、第１〜第３楔状骨１２０，１２２，１２４、第１〜第５中足骨１２６，１２８，１３０，１３２，１３４、第１〜第５基節骨１３６，１３８，１４０，１４２，１４４、第２〜第５中節骨１４６，１４８，１５０，１５２、第１〜第５末節骨１５４，１５６，１５８，１６０，１６２より構成される。第１中足骨１２６の前端部（遠位端部）は、第１中足骨頭部１２６Ａ（母趾球１２６Ａともいう。）であり、第５中足骨１３４の前端部（遠位端部）は、５中足骨頭部１３４Ａ（小趾球１３４Ａともいう。）である。
【００２７】
また、足の裏には、縦アーチ（内側縦アーチおよび外側縦アーチ）と、横アーチ（前足部の横アーチおよび中足部の横アーチ）とがあり、各々、それらを構成する骨によってドーム形状に構成されている。具体的には、内側縦アーチは、踵骨１０２、距骨１０４、舟状骨１０６、３つの楔状骨１２０〜１２４、および第１〜第３中足骨１２６〜１３０で構成されており、外側縦アーチは、踵骨１０２、立方骨１０８、第４〜第５中足骨１３２，１３４で構成されている。また、前足部の横アーチは、第１〜第５中足骨１２６〜１３４で構成され、中足部の横アーチは、第１〜第３楔状骨１２０，１２２，１２４および立方骨１０８で構成されている。
【００２８】
また、足裏のアーチ構造は、骨のみでなく、靭帯や筋肉によっても支えられている。静止時には、主に靭帯が関与しており、内側縦アーチは、踵舟靭帯（スプリング靭帯）、距踵靭帯、楔舟靭帯などで支持され、外側縦アーチは、長足底靭帯、踵立方靭帯、足根中足靭帯などで支持されている。また、前足部の横アーチは、深横中足靭帯で支持され、中足部の横アーチは、楔間靭帯、楔立方靭帯で支持されている。一方、運動時には、主に筋肉が関与しており、内側縦アーチは、前脛骨筋、後脛骨筋、長腓骨筋、長母趾屈筋、短母趾屈筋、長趾屈筋、母趾外転筋などが働き、外側縦アーチは、長腓骨筋、短腓骨筋、短趾屈筋、小趾外転筋、短小趾屈筋、小趾対立筋が働く。また、前足部の横アーチは、母趾内転筋横頭が働き、中足部の横アーチは、長腓骨筋が働く。
【００２９】
足裏のアーチ構造の役割としては、例えば、以下の点が挙げられる：
・接地時の衝撃の緩和：地面に足が接地し荷重が加わった際に、地面からの衝撃を吸収するのに加え、アーチが下がることで地面と接地する面積が大きくなる（アーチのトラス機構）
・地面を蹴る力（蹴り出し力）の強化：足の指を上げると、足裏の筋肉が張り、アーチが上に引き上げられる。これにより、アーチが安定し、前足部で地面を蹴るときに安定して強い力を出すことができる（アーチのウィンドラス機構）。
【００３０】
一方、アーチが沈み込んだ状態になると（偏平足ともいう。）、上記のトラス機構やウィンドラス機構が正常に機能しなくなる。
【００３１】
このような足の構造を踏まえ、本発明に係る靴用インソールは、以下のような特徴を備えている。
【００３２】
＜例示的実施形態＞
図１は、本発明の例示的な実施形態に係る靴用インソール１（以下、単に「インソール１」ともいう。）の模式的な斜視図である。図２〜図７は、それぞれ、インソール１の模式的な平面図、底面図、外側側面図、内側側面図、背面図（踵側から見た模式図）、および正面図（つま先側から見た模式図）である。図８は、図２に示すインソール１の模式的な平面図に足の骨格構造を重ね合わせた模式図である。
【００３３】
図１〜図７に示すように、本実施形態に係るインソール１は、第一の側部２ａおよび第二の側部２ｂを有するソール部２と、第一のバンド部材３と、第二のバンド部材４とを有している。
【００３４】
インソール１は、ソール部２が靴内の縁に適合する外縁輪郭を備えた形状をしており、靴に挿入されたときに一定の位置に装着可能となっている。なお、添付の図面においては右足のインソールを示しているが、左足のインソールは鏡像対象となることが理解される。
【００３５】
＜ソール部＞
ソール部２は、図１〜図７に示すように、第一の側部２ａおよび第二の側部２ｂを有し、全体として使用者の足裏に対応した形状を有している。また、ソール部２は、インソール１を靴内に装着したときに、使用者の足裏が当接する足裏当接面（上面）２ｃと、その逆側に配置され、靴の内部の面（例えば、中底上面）に当接する底面２ｄとを有している。また、ソール部２は、図２、図３に示すように、つま先側領域２５および踵側領域２６を有し、つま先側領域２５と踵側領域２６との間に中間領域２７が存在する。ソール部２は、踵側領域２６の近位端から中間領域２７を経てつま先側領域２５の遠位端にかけて、前後方向に延設されている。ソール部２のつま先側領域２５、踵側領域２６、および中間領域２７は、それぞれ、図８に示すように、使用者の足の前足部領域（中足骨およびそれより遠位側の領域）、踵部領域（中足骨より近位側の領域）および中足部領域（つま先側領域と踵側領域との間に存在する、楔状骨付近の領域）に対応している。
【００３６】
ソール部２を構成する材料としては特に限定されないが、例えば、軟質の弾性材料から構成することができる。当該弾性材料としては特にその種類は限定されないが、例えば、エチレン−酢酸ビニル共重合体（ＥＶＡ）等の熱可塑性合成樹脂やその発泡体、ポリウレタン（ＰＵ）等の熱硬化性樹脂やその発泡体、またはブタジエンラバーやクロロプレンラバー等のラバー素材やその発泡体等が挙げられる。この場合において、発泡体の気泡率（素材中に気泡が占める容積割合）は特に限定されない。ソール部２は、好ましくは、上記の樹脂やラバー素材等により一体成形されている。
【００３７】
ソール部２の厚みは、インソール１が適用される靴の用途、使用者の足のサイズや形状等に応じて適宜調整することができ、例えば、０．１ｍｍ〜２０ｍｍ程度の範囲内を一応の目安とすることができる。インソール１の目的の機能を発揮するために、ソール部２の厚みが０．１ｍｍ以上とすることが好ましい。また、後述するように、所望の特性等に応じてソール部２に凹凸構造が設けられる場合、ソール部２の厚みは、例えば、０．７ｍｍ〜１５ｍｍ程度であってもよい。
【００３８】
また、ソール部２の厚みは、全体として一定の厚みであってもよく、部分的に異なる厚みであってもよい。
【００３９】
なお、ソール部２には、必要に応じて、また、所望の特性等に応じて、凹凸構造が設けられていてもよい。例えば、ソール部２の踵側領域２６の周縁において、足の踵部の周囲を取り囲むように隆起したヒールカップ構造等を設けることができる。また、ソール部２は、使用者の足裏の形状（例えば、内側縦アーチ、外側縦アーチ、横アーチなど）に対応するような種々の凹凸構造を備えた形状であってもよい。このように、ソール部２が、その形状的な特徴によって所望の機能等を発揮するように構成されている場合には、本発明の構成をさらに備えることによって、インソール全体としての機能性がより効果的に発揮される。
【００４０】
ソール部２には、後述する第一のバンド部材３および第二のバンド部材４をそれぞれ取り付けるための、第一の配設部２１、第二の配設部２２、第三の配設部２３および第四の配設部２４を備える。
【００４１】
第一の配設部２１は、ソール部２において、足のつま先側の第一の側部（内側）に相当する位置に存在し、その具体的位置は適切に調整され得る。好ましい実施形態においては、第一の配設部２１は、ソール部２において、足の第１中足骨１２６に相当する位置に存在する。より好ましい実施形態においては、第一の配設部２１は、ソール部２において、母趾球１２６Ａに達しない範囲で足の第１中足骨１２６に相当する位置に存在し、その中で第１中足骨の遠位端に近づけることがさらに好ましい。
【００４２】
第二の配設部２２は、ソール部２において、足のつま先側の第二の側部（外側）に相当する位置に存在し、その具体的位置は適切に調整され得る。好ましい実施形態においては、第二の配設部２２は、ソール部２において、足の第５中足骨１３４に相当する位置に存在する。より好ましい実施形態においては、第二の配設部２２は、ソール部２において、小趾球１３４Ａに達しない範囲で足の第５中足骨１３４に相当する位置に存在し、その中で第５中足骨の遠位端に近づけることがさらに好ましい。
【００４３】
第三の配設部２３は、ソール部２において、足の踵側の第一の側部（内側）に相当する位置に存在する。好ましい実施形態においては、第三の配設部２３は、ソール部２において、足の舟状骨１０６に相当する位置に存在する。
【００４４】
第四の配設部２４は、ソール部２において、足の踵側の第二の側部（外側）に相当する位置に存在する。好ましい実施形態においては、第四の配設部２４は、ソール部２において、足の立方骨１０８に相当する位置に存在する。
【００４５】
なお、本明細書において、配設部が特定の骨に「相当する位置に存在する」という場合、配設部が必ず足の当該特定の骨の位置に存在しなければならないことを意味するのではなく、むしろ配設部を通るバンドの少なくとも一部が当該特定の骨を支持することを意味することが理解されるべきである。
【００４６】
特定の実施形態において、配設部は、第一のバンド部材および第二のバンド部材が通過可能であるように構成された空隙部であり得る。このようにすることにより、第一のバンド部材３および第二のバンド部材４をより簡便に位置決めすることができる。空隙部としては、例えば、ソール部２の外縁輪郭の一部に形成された略半円形状の切り欠きを挙げることができる。この場合において、空隙部は、例えば、第一中足骨１２６に相当する部位もしくはその近傍の第一の側部２ａ、第五中足骨１３４に相当する部位もしくはその近傍の第二の側部２ｂ、舟状骨１０６に相当する部位よりも踵側（近位側）の第一の側部２ａ、および立方骨１０８に相当する部位よりも踵側（近位側）の第二の側部２ｂに設けられることが好ましい。なお、空隙部の形状は特に限定されず、例えば、上記の切り欠きの形状を三角形や四角形としてもよく、または、ソール部２の第一の側部２ａおよび第二の側部２ｂの近傍に、バンド部材が通過可能な大きさの孔を設けるなどしてもよい。第一の配設部２１、第二の配設部２２、第三の配設部２３、第四の配設部２４のいずれか、または全てがこの空隙部であり得る。
【００４７】
＜バンド部材＞
第一のバンド部材３および第二のバンド部材４は、図１〜図７に示すように、ソール部２の第一の側部２ａおよび第二の側部２ｂの配設部に配設されており、当該配設部から使用者の足首領域に向けて延びる。具体的には、第一のバンド部材３は第一の配設部２１から第四の配設部２４に延び、第二のバンド部材４は第二の配設部２２から第三の配設部２３に延びる。
【００４８】
好ましい実施形態において、第一のバンド部材３は、図２、図８に示すように、第１中足骨１２６（母趾球１２６Ａを除く）に相当する部位（配設部２１）から、立方骨１０８に相当する部位（配設部２４）に延びている。このように第一のバンド部材３をソール部２に配設することによって、第一のバンド部材３は、使用者の長腓骨筋の流れに沿ってソール部２の外側側面を経て使用者の足首領域に向けて延びることになる。また、第一のバンド部材３は、内側縦アーチに関与する他の筋肉（例えば、短母趾屈筋、母趾外転筋など）の流れにも沿う。これらの位置関係によって、運動時に足首が上がることによって第一のバンド部材３が牽引されるときに、これらの筋肉の機能をサポートし、パフォーマンスの向上が達成され得る。
【００４９】
第二のバンド部材４は、図２、図８に示すように、第５中足骨１３４（小趾球１３４Ａを除く）に相当する部位（配設部２２）から、舟状骨１０６に相当する部位（配設部２３）に延びている。このように第二のバンド部材４をソール部２に配設することによって、第二のバンド部材４は、使用者の後脛骨筋の流れに沿ってソール部２の内側側面を経て使用者の足首領域に向けて延びることになる。また、第二のバンド部材４は、外側縦アーチに関与する他の筋肉（例えば、短趾屈筋、小趾外転筋、小趾対立筋など）の流れにも沿う。これらの位置関係によって、運動時に足首が上がることによって第二のバンド部材４が牽引されるときに、これらの筋肉の機能をサポートし、パフォーマンスの向上が達成され得る。
【００５０】
第一のバンド部材３の配設部２１および第二のバンド部材４の配設部２２の位置は、本発明の効果を損なわない範囲において適宜調整され得るが、それぞれ、母趾球１２６Ａおよび小趾球１３４Ａに達しない範囲で、第１中足骨１２６および第５中足骨１３４の近位端から遠位端までの間に設定することが好ましく、第１中足骨１２６および第５中足骨１３４の遠位端に近付けることがより好ましい。これによって、縦アーチの引き上げ効果に加えて、後述する第二の固定部材との相乗的効果が発揮されやすくなり、横アーチをより効果的にサポートすることができる。
【００５１】
第一のバンド部材３と第二のバンド部材４とは、図１、図３に示すように、ソール部２の底面２ａにおいて交差するように構成されている。ここで、第一のバンド部材３と第二のバンド部材４とが交差する位置は、本発明の効果を損なわない範囲において適宜調整され得るが、好ましくは、図３に示すように、平面視において、ソール部２の中間領域２７に設定される。
【００５２】
第一のバンド部材３および第二のバンド部材４は、弾性材料から構成され得る。当該弾性材料としては特に限定されないが、例えば、天然ゴム、合成ゴム等のゴム材料を用いた織ゴムおよび編ゴム等が挙げられる。バンド部材の形状としては、例えば、断面が平板状のもの、断面が丸い形状のもの等が挙げられるが、これらに限定されない。第一のバンド部材３および第二のバンド部材４が弾性材料から構成される場合において、第一のバンド部材３と第二のバンド部材４とは、同一の弾性特性を有する材料から構成されていてもよく、また、互いに異なる弾性特性を有する材料から構成されていてもよい。
【００５３】
第一のバンド部材３および第二のバンド部材４の幅は、使用者の足のサイズ等に応じて、また、インソール１が装着される靴との適合性、使用者がインソール１を着用した際に使用者の足に対して局所的に過度の力が加わらないこと等を考慮して、適宜調整することができる。また、第一のバンド部材３および第二のバンド部材４の幅は、それぞれ、全体として一定の幅であってもよく、部分的に異なる幅であってもよい。より具体的には、第一のバンド部材３および第二のバンド部材４の幅は、使用者がインソール１を着用した際に使用者の足裏に相当する位置に配される部位と、それ以外の部位とで、部分的に異なる幅であってもよい。また、第一のバンド部材３の幅は、平面視において、立方骨１０８の左右方向の幅よりも狭くすることが好ましく考慮される。また、第二のバンド部材４の幅は、平面視において、舟状骨１０６の左右方向の幅よりも狭くすることが好ましく考慮される。第一のバンド部材３および第二のバンド部材４の幅が、それぞれ立方骨１０８または舟状骨１０６の左右方向の幅を超えると、縦アーチの引き上げ効果等が十分に得られない場合がある。１つの実施形態において、第一のバンド部材３および第二のバンド部材４の幅は、１０ｍｍ〜３０ｍｍの範囲内である。
【００５４】
第一のバンド部材３の幅と第二のバンド部材４の幅とは、同じであってもよいし、異なっていてもよい。
【００５５】
第一のバンド部材３および第二のバンド部材４は、ソール部２の足裏当接面２ｃに存在してもよいし、底面２ｄに存在してもよいし、ソール部２内部に存在してもよい。
【００５６】
第一のバンド部材３および第二のバンド部材４は、ソール部２と一体的に構成されていてもよく、また、ソール部２と着脱可能に構成されていてもよい。前者の場合において、第一のバンド部材３および第二のバンド部材４がソール部２の所定の位置に予め位置決めされるため、使用者によるインソール１の装着がより簡便になる。また、後者の場合において、使用者は、インソール１の使用状況や使用経過に応じて、第一のバンド部材３および／または第二のバンド部材４を取り外しての清掃や交換等が可能となるので、インソール１のメンテナンスの観点やインソール１の機能の持続性の観点からより優れたものとなる。また、インソール１が装着される靴の用途、使用者が行う運動特性等に応じて、第一のバンド部材３および第二のバンド部材４と、ソール部２との構成態様を適宜選択することができる。
【００５７】
代表的な実施形態においては、第一のバンド部材３と第二のバンド部材４とは別個のバンド部材である。
【００５８】
別の実施形態においては、第一のバンド部材３と第二のバンド部材４とは、１つのバンド部材から構成され得る。例えば、第一のバンド部材３の第一の配設部側が延びて、第二のバンド部材４の第二の配設部側に接続されてもよい。または、第一のバンド部材３の第四の配設部側が延びて、第二のバンド部材４の第三の配設部側に接続されてもよい。
【００５９】
＜第一の固定部材＞
また、本実施形態に係るインソール１は、第一のバンド部材３および第二のバンド部材４を使用者の足首に固定するための第一の固定部材５を有する。具体的には、インソール１は、図１〜図７に示すように、第二のバンド部材４の足首領域側に第一の固定部材５を有する。第一の固定部材５は、第一のバンド部材３および第二のバンド部材４のうちの少なくとも一方に設けられていればよく、第二のバンド部材４のみに限定されない。例えば、第一の固定部材５は、第一のバンド部材３の足首領域側に設けられてもよく、第一のバンド部材３および第二のバンド部材４の両方の足首領域側に設けられてもよい。
【００６０】
第一の固定部材５としては、例えば、面的に繰り返し着脱可能な部材（例えば、面ファスナー）を有するもの等が挙げられる。本実施形態では、第一の固定部材５は、面ファスナーで構成されており、第一の固定部材５の端部５ａは、第一の固定部材５の任意の部分と着脱可能とされている。また、第一の固定部材５は、伸縮性を有していてもよい。その他、第一の固定部材５の材質、幅、長さ等については、使用者の足のサイズや固定様式の観点を考慮して、適宜選択することができる。
【００６１】
＜第二の固定部材＞
【００６２】
また、本実施形態に係るインソール１は、使用者の足甲領域を覆うようにソール部２に設けられる第二の固定部材６を有する。具体的には、インソール１は、図１〜図７に示すように、第一のバンド部材３の配設部２１に隣接する位置に取り付けられた内側側の部材６１と、第二のバンド部材４の配設部２２に隣接する位置に取り付けられた外側側の部材６２と、を有する。内側側の部材６１は、ソール部２の内側側面から使用者の足甲領域を経てソール部２の外側側面に向けて延び、外側側の部材６２は、ソール部２の外側側面から一定の長さを有して延びる。
【００６３】
第二の固定部材６の配設位置は、本発明の効果を損なわない範囲において適宜調整され得る。例えば、横アーチをより効果的にサポートする観点から、内側側の部材６１を、第一のバンド部材３の配設部２１もしくは配設部２１に隣接する部位に配設し、外側側の部材６２を、第二のバンド部材４の配設部２２もしくは配設部２２に隣接する部位に配設することが好ましく考慮される。
【００６４】
本実施形態において、内側側の部材６１と外側側の部材６２とは、互いに面的に繰り返し着脱可能な部材で構成されていることが好ましい。例えば、内側側の部材６１および外側側の部材６２は、面ファスナーで構成することができる。これにより、後述するように、インソール１を、使用者の足に装着する際に、内側側の部材６１を外側側の部材６２の任意の位置に押し当てて（または、外側側の部材６２を内側側の部材６１の任意の位置に押し当てて）、インソール１と使用者の足とを固定することができる。
【００６５】
第二の固定部材６は、弾性材料から構成され得る。当該弾性材料としては特に限定されないが、例えば、天然ゴム、合成ゴム等のゴム材料を用いた織ゴムおよび編ゴム等が挙げられる。第二の固定部材６の形状としては、例えば、断面が平板状のもの、断面が丸い形状のもの等が挙げられるが、これらに限定されない。
【００６６】
第二の固定部材６が弾性材料から構成される場合において、内側側の部材６１と外側側の部材６２とは、同一の弾性特性を有する材料から構成されていてもよく、また、互いに異なる弾性特性を有する材料から構成されていてもよい。例えば、内側側の部材６１と外側側の部材６２との間で弾性特性が異なるものを組み合わせて、足の内側と外側とでインソール１とのフィット性を変化させたり、右足と左足とでインソール１とのフィット性を変化させたりするなど、インソール１が装着される靴の用途、使用者が行う運動特性等に応じて、より使用者の個人差にも適合し得るフィット性をもたらすことができる。また、使用者の足の縦アーチおよび横アーチをより効果的にサポートする観点から、内側側の部材６１および外側側の部材６２の弾性特性を、それぞれ選択することができる。
【００６７】
第二の固定部材６の幅は、使用者の足のサイズ等に応じて適宜調整することができる。例えば、第二の固定部材６の幅は、０．５ｃｍ〜２．０ｃｍ程度の範囲内を一応の目安とすることができる。なお、第二の固定部材６の幅は、内側側の部材６１と外側側の部材６２とで同じであってもよく、異なっていてもよい。
【００６８】
第二の固定部材６の厚みは、インソール１が適用される靴の用途、使用者の足のサイズや形状等に応じて適宜調整することができる。インソール１が靴内に装着された際に過度の厚みを生じないようにする観点からは、第二の固定部材６の厚みは、例えば、１ｍｍ〜３ｍｍ程度の範囲内を一応の目安とすることができる。なお、第二の固定部材６の厚みは、内側側の部材６１と外側側の部材６２とで同じであってもよく、異なっていてもよい。
【００６９】
本実施形態において、第一の固定部材５および第二の固定部材６（以下、まとめて「固定部材」ともいう。）は、それぞれ、第一のバンド部材３および／または第二のバンド部材４、およびソール部２と着脱可能に構成されていることが好ましい。この場合には、例えば、インソール１の使用状況や使用経過に応じて、固定部材を取り外しての清掃や固定部材の交換等が可能となるので、インソール１のメンテナンスの観点やインソール１の機能の持続性の観点からより優れたものとなる。また、使用者が行う運動特性等によっては、右足もしくは左足のいずれか一方について固定部材を取り外すなど、より使用者の個人差にも適合し得るインソールとすることができる。
【００７０】
＜インソールの固定様式＞
次に、本実施形態に係る靴用インソール１を、使用者の足に装着する様式、および装着方法について説明する。
【００７１】
図９は、インソール１を、使用者の足に装着した状態を模式的に示す外側側面図である。図１０は、インソール１を、使用者の足に装着した状態を模式的に示す内側側面図である。図１１は、インソール１を、使用者の足に装着した状態を模式的に示す背面図（踵側から見た模式図）である。
【００７２】
図９〜図１１に示すように、使用者がインソール１を装着するとき、使用者は、ソール部２の足裏当接面２ｃに足裏を配置する。このとき、第一のバンド部材３は、使用者の長腓骨筋の流れに沿って、ソール部２の外側側面から使用者の足首領域に向けて延びている。また、第二のバンド部材４は、使用者の後脛骨筋の流れに沿って、ソール部の内側側面から使用者の足首領域に向けて延びている。
【００７３】
次いで、使用者は、外側側面から延びる第一のバンド部材３を、長腓骨筋の流れに沿うようにしながら、足首領域の踵側（近位側）へ送る。また、内側側面から延びる第二のバンド部材４を、後脛骨筋の流れに沿うようにしながら、足首領域の踵側（近位側）へ送る。
【００７４】
そして、使用者は、第一の固定部材５を足首領域で１回〜数回巻き付けて、第一の固定部材５の端部５ａを第一の固定部材５の任意の位置に押し当てて留める。このとき、第一のバンド部材３および第二のバンド部材４は、使用者の足首領域と第一の固定部材５との間に挟まれるようにして位置決めされる。
【００７５】
また、使用者は、第二の固定部材６の内側側の部材６１を、ソール部２の内側側面から足甲領域を経て外側側面へと送り、内側側の部材６１の端部６１ａを外側側の部材６２の任意の位置に押し当てて留める。
【００７６】
このようにして、インソール１は、使用者の足に装着される。インソール１が使用者の足に装着されると、第一のバンド部材３および第二のバンド部材４の弾性力によって、ソール部２の底面２ｄ側からソール部２に対して上向きの力が作用し、ソール部２の中間領域２７が引き上げられて、インソール１と使用者の足裏とのフィット性がもたらされる。また、第二の固定部材６によって、使用者の足に対して左右方向から力が加わり、インソール１と使用者の足裏とのフィット性がさらにもたらされる。
【００７７】
このように、本実施形態に係る靴用インソール１は、第一のバンド部材３および第二のバンド部材４を介して、インソール１のソール部２の底面２ｄから、使用者の足裏に対して直接的に力を加えることができる。また、インソール１は、第二の固定部材６を介して、インソール１のソール部２の外側側面および内側側面から、使用者の足の外側部および内側部に対して直接的に力を加えることができるとともに、使用者の足甲領域に対して直接的に力を加えることができる。そのため、インソール１と使用者の足（特に、足裏）とを、高いフィット性で固定することができる。また、このような固定様式を採用することによって、静止時はもちろんのこと、運動中も、インソール１と使用者の足裏とが固定された状態を維持することができる。
【００７８】
また、インソール１は、第一のバンド部材３および第二のバンド部材４が、足のアーチの要である立方骨１０８および舟状骨１０６に相当する部位を通過し、かつアーチに関わる筋肉（特に、長腓骨筋および後脛骨筋）の流れに沿っているので、アーチに関わる筋肉や当該筋肉と骨とをつなぐ靭帯の働きを補完することができる。これにより、アーチの過度の沈み込みが抑制され、正常なアーチ構造が保たれ、アーチの本来の働きをサポートすることができる。また、足裏での重心移動が誘導されることにより、全身の操作能力を高めることができる。また、沈み込んだ状態のアーチは引き上げられるので、偏平足の症状を改善することができる。
【００７９】
さらに、インソール１は、第一のバンド部材３および第二のバンド部材４が弾性材料で構成されていることによって使用者の足に軽度の圧迫を加えることができるので、使用者に体性感覚刺激を入力することができる。これにより、足の操作性（すなわち、使用者の意思と足の動きとの連動性）を高めることができる。
【００８０】
また、インソール１は、第一のバンド部材３および第二のバンド部材４が、第１中足骨１２６および第５中足骨１３４に配設されており、第二の固定部材６が、第一のバンド部材３および第二のバンド部材４の配設部２１、２２もしくは配設部２１、２２に隣接する部位に配設されているので、内側縦アーチおよび外側縦アーチに加えて、横アーチをサポートすることができる。これにより、使用者は、例えば、以下の効果：
・グリップ力（踏ん張る力）の向上効果
・接地時の衝撃干渉効果
・偏平足の改善効果
・足指の働きの改善効果
をより効率的に得ることができる。
【００８１】
本実施形態に係る靴用インソール１は、任意の靴に適用され得る。例えば、本実施形態に係る靴用インソール１は、日常的に使用する靴はもちろんのこと、スポーツなどの機能性を追求する運動に好適である。例えば、サッカーやバスケットボールなどの瞬発力（素早いスタート・ストップ・方向変換など）の発揮を伴う運動用の靴、また、ウォーキング、ジョギング、マラソンなどの長時間に渡る運動用の靴に好適である。
【００８２】
本明細書に開示された靴用インソールの特徴に接した当業者は、適切な方式および条件を使用して、靴用インソールを設計、製造し、本実施形態に係る靴用インソール１を得ることができる。
【００８３】
（他の実施形態）
以上、本発明を、理解の容易のために例示的な実施形態を示して説明してきたが、具体的な形態はこれらの実施形態に限られるものではなく、本発明の要旨を逸脱しない範囲における設計の変更等があっても本発明に含まれる。また、上述の説明および以下の実施例は、例示の目的のみに提供され、本発明を限定する目的で提供するものではない。従って、本発明の範囲は、本明細書に具体的に記載された実施形態に限定されず、特許請求の範囲によってのみ限定される。
【実施例】
【００８４】
図１〜図７に示す例示的実施形態の構成を備える本発明のインソールを試作し、以下に示すような評価試験（ｎ＝８）を行った。
【００８５】
（１）バランス試験（片脚立位保持試験）
被験者の足裏に本実施例のインソールを装着した状態で、両手を腰に当て、上げる方の足を床より５ｃｍ程度浮かせた姿勢を取り、バランスの取りやすさを評価した。比較対照として、（ａ）インソールを装着しない素足の状態、および（ｂ）インソールを装着しない素足の足裏において、本実施例のインソールのバンド部材に相当する位置にテーピングを施した状態、を設けた。
その結果、本実施例のインソールを装着すると、いずれの被験者においても、素足の状態（対照（ａ））よりも主観的なバランス感覚に優れ、かつ、足裏にテーピングを施した状態（対照（ｂ））と同等もしくはそれ以上のバランス感覚がもたらされることが実証された。また、両脚での立位保持試験においても、同様の試験結果が得られた。
【００８６】
（２）ランジ動作試験
被験者の足裏に本実施例のインソールを装着した状態で、まっすぐに立った姿勢から、片方の足を多方向に踏み出し、バランスの保ちやすさ、および踏み出した足への力の入りやすさを評価した。比較対照は、上記（１）のバランス試験と同様に設けた。
その結果、本実施例のインソールを装着すると、いずれの被験者においても、素足の状態（対照（ａ））よりも主観的なバランス感覚および力の入りやすさの感覚に優れ、かつ、足裏にテーピングを施した状態（対照（ｂ））と同等もしくはそれ以上の感覚がもたらされることが実証された。
【００８７】
（３）動作性試験
被験者の足裏に本実施例のインソールを装着した状態で、それぞれの競技種目の動作を行い、その動作性を５段階（５がもっとも快適、１が不良。）で数値評価した。比較対照として、第１中足骨から立方骨にかけて、および第５中足骨から舟状骨にかけてテープを貼ったソックスを用意した。
結果を以下の表１に示す。
【表１】
2018027200.tif 000003
【００８８】
表１から理解されるように、対照のソックスの場合には、評価値の平均値が約２．８８であったのに対して、本実施例のインソールの場合には、評価値の平均値が約４．１３となり、本実施例のインソールが、静止時や軽度の運動時のみならず、スポーツ等のより激しい動作を伴う運動時にも、使用者のパフォーマンス発揮に効果的であることが実証された。
【符号の説明】
【００８９】
１  靴用インソール（インソール）
２  ソール部
２ａ  第一の側部
２ｂ  第二の側部
２ｃ  足裏当接面（上面）
２ｄ  底面
２１  第一の配設部
２２  第二の配設部
２３  第三の配設部
２４  第四の配設部
２５  つま先側領域
２６  踵側領域
２７  中間領域
３  第一のバンド部材
４  第二のバンド部材
５  第一の固定部材
６  第二の固定部材
１０６  舟状骨
１０８  立方骨
１２６  第１中足骨
１３４  第５中足骨
【図１】
2018027200.tif 000004
【図２】
2018027200.tif 000005
【図３】
2018027200.tif 000006
【図４】
2018027200.tif 000007
【図５】
2018027200.tif 000008
【図６】
2018027200.tif 000009
【図７】
2018027200.tif 000010
【図８】
2018027200.tif 000011
【図９】
2018027200.tif 000012
【図１０】
2018027200.tif 000013
【図１１】
2018027200.tif 000014
【図１２】
2018027200.tif 000015